(57)【要約】【課題】温度が高い空気や光に晒されることなく、手の届く範囲に食品や物品を収納保管することができ、且つ、施工コストの低い冷暗所を備えた住宅を提供する。【解決手段】天井高さが０．８ｍ〜１．４ｍで、且つ、窓のない壁３１〜３４で画成されてなる冷暗所１２が内部に設けられた冷暗所付き住宅は、冷暗所１２内に冷輻射パネル１５が壁３１の近傍に対向して設けられ、冷輻射パネル１５が対向する壁３１の表面は防水性を有し平滑に形成されている。【選択図】図２
2014005639.tif 000002
【特許請求の範囲】
【請求項１】
天井高さが０．８ｍ〜１．４ｍで、且つ、窓のない壁で画成されてなる冷暗所が内部に設けられた冷暗所付き住宅であって、
冷暗所内に冷房手段が壁の近傍に対向して設けられ、前記冷房手段が対向する壁の表面は防水性を有し平滑に形成されていることを特徴とする冷暗所付き住宅。
【請求項２】
前記冷房手段は一の壁に沿って設けられ、
前記一の壁の表面は防水性を有する平滑板で形成されていることを特徴とする請求項１に記載の冷暗所付き住宅。
【請求項３】
前記冷暗所が平面視において短辺と長辺とからなる矩形状に形成されており、
前記一の壁は前記冷暗所の平面視における短辺を構成する壁であり、長辺を構成する壁に出入口が設けられていることを特徴とする請求項２に記載の冷暗所付き住宅。
【請求項４】
前記冷暗所の出入口が設けられた壁を境にして、天井高さが０．８ｍ〜１．４ｍの収納室が前記冷暗所に隣接して設けられ、この収納室の出入口は、前記冷暗所の出入口が設けられた壁以外の壁に設けられていることを特徴とする請求項３に記載の冷暗所付き住宅。
【請求項５】
前記冷暗所の床面上であって前記冷房手段と前記一の壁との間に、集水された排水を前記冷暗所外部へ排出する排水溝が設けられていることを特徴とする請求項１から４の何れか１項に記載の冷暗所付き住宅。
【請求項６】
前記平滑板はアクリル樹脂で形成されていることを特徴とする請求項２から５の何れか１項に記載の冷暗所付き住宅。
【発明の詳細な説明】
【技術分野】
【０００１】
本発明は、食品等の物品を収納する冷暗所を備える冷暗所付き住宅に関する。
【背景技術】
【０００２】
従来、貯蔵適性の異なる食品や物品の貯蔵管理において、貯蔵条件として冷却が必要な食品や物品を冷蔵庫に保管し、それ以外の食品や物品を台所近辺に設置された収納場所に保管することが行われている。
【０００３】
食品や物品の収納場所としては、キッチン近傍に設けられるパントリー等が挙げられる。しかしながら、一般にパントリーは、居室と同程度の天井高さを有するため上方の空間を低温に保つことが難しく、また、上下方向に収納スペースを確保すると当該収納スペース上部に手が届かず食品や物品の収納及び取り出しが行いにくい。
【０００４】
そこで、食品や物品を適切に管理保管する収納場所として、冷暗所が設けられた住宅が提供されている（例えば、特許文献１参照）。特許文献１に記載の技術では、冷暗所は、天井高さが居室よりも低く、窓のない壁で画成されており、当該冷暗所の壁や天井材の表面が調湿建材で形成されている。これにより、食品や物品の収納及び取り出しが容易で、且つ冷暗所内が適度な温度及び湿度に維持された、食品や物品の保管に適した収納場所が得られている。
なお、調湿建材とは、微細な空気層を無数にもった構造の建材（壁材）であり、多湿環境では余分な湿気を吸って結露やカビの発生を抑制し、過乾燥環境では溜め込んだ湿気を放出することで、室内を適度な湿度にコントロールするものである。
【先行技術文献】
【特許文献】
【０００５】
【特許文献１】特開２０１２−３６６９９号公報
【発明の概要】
【発明が解決しようとする課題】
【０００６】
しかしながら、上記したような調湿建材で構成される冷暗所は施工コストが高く、コストの低減が求められている。
【０００７】
そこで、本発明は、温度が高い空気や光に晒されることなく、手の届く範囲に食品や物品を収納保管することができ、且つ、施工コストの低い冷暗所を備えた住宅を提供することを目的としている。
【課題を解決するための手段】
【０００８】
上記課題を解決するために、請求項１に記載の発明は、例えば図１〜図６に示すように、天井高さが０．８ｍ〜１．４ｍで、且つ、窓のない壁３１〜３４で画成されてなる冷暗所が内部に設けられた冷暗所付き住宅であって、
冷暗所１２内に冷房手段（例えば冷輻射パネル１５）が壁（例えば壁３１）の近傍に対向して設けられ、前記冷房手段が対向する壁の表面は防水性を有し平滑に形成されていることを特徴とする。
【０００９】
請求項１に記載の発明によれば、天井高さが０．８〜１．４ｍで、且つ、窓のない壁３１〜３４で画成されてなる冷暗所１２が設けられているので、この冷暗所１２に、手の届く範囲で且つ温度が高い空気や光に晒されることなく、食品や物品を収納保管できる。
また、冷房手段（例えば冷輻射パネル１５）に対向し当該冷房手段の近傍の壁（例えば壁３１）の表面が、防水性であり平滑に形成されているのみであるため、冷暗所１２の施工コストが低い。
また、冷暗所１２内には冷房手段が壁の近傍に対向して設けられ、当該壁の表面は防水性を有し平滑に形成されているので、冷房手段に冷却されて当該壁に結露が発生しても、当該壁の表面を拭き取る等して水滴を除去することができ、清掃が行い易い。
【００１０】
請求項２に記載の発明は、請求項１に記載の冷暗所付き住宅において、
前記冷房手段（例えば冷輻射パネル１５）は前記一の壁（例えば壁３１）に沿って設けられ、
前記一の壁の表面は防水性を有する平滑板３１ａで形成されていることを特徴とする。
【００１１】
請求項２に記載の発明によれば、冷房手段（冷輻射パネル１５）は一の壁（例えば壁３１）に沿って設けられ、当該一の壁の表面は防水性を有する平滑板３１ａで形成されているので、冷暗所１２の施工が容易である。
【００１２】
請求項３に記載の発明は、請求項２に記載の冷暗所付き住宅において、
前記冷暗所１２が平面視において短辺と長辺とからなる矩形状に形成されており、
前記一の壁（例えば壁３１）は前記冷暗所１２の平面視における短辺を構成する壁であり、長辺を構成する壁（例えば壁３２）に出入口１３が設けられていることを特徴とする。
【００１３】
請求項３に記載の発明によれば、冷暗所１２が平面視において短辺と長辺とからなる矩形状に形成され、一の壁（例えば壁３１）は冷暗所１２の短辺を構成する壁であり、冷房手段は（例えば冷輻射パネル１５）が一の壁に沿って設けられているので、長辺を構成する壁に沿って冷房手段を設ける場合に比して、冷房手段をコンパクトに納めることができる。
また、冷房手段からの放熱（冷熱の放熱）によって、冷暗所１２の平面視長辺方向において、温度の勾配が生じるので、収納すべき物の種類によって、温度に合わせて適宜収納位置を選択できる。
更に、冷暗所１２の長辺を構成する壁（例えば壁３２）に出入口１３が設けられているので、出入口１３を大きく取ることができるとともに、出入口１３からの奥行きが浅くなるので、食品や物品の収納、取り出しが行い易くなる。
【００１４】
請求項４に記載の発明は、請求項３に記載の冷暗所付き住宅において、
前記冷暗所１２の出入口１３が設けられた壁３２を境にして、天井高さが０．８ｍ〜１．４ｍの収納室１０が前記冷暗所１２に隣接して設けられ、この収納室１０の出入口１１は、前記冷暗所１２の出入口１３が設けられた壁３２以外の壁に設けられていることを特徴とする。
【００１５】
請求項４に記載の発明によれば、天井高さが０．８ｍ〜１．４ｍの収納室１０が冷暗所１２に隣接して設けられ、この収納室１０から出入口１３を通って冷暗所１２に出入りできるので、収納室１０に収納されている物品を冷暗所１２に直ぐに収納できる。
また、収納室１０の出入口１１が、冷暗所１２の出入口１３が設けられた壁３２以外の壁に設けられているので、住宅内の他の場所から冷暗所１２に行く場合、必ず収納室１０を経由することになる。したがって、収納物の種類が複数ある場合に、適宜選択しながら、収納室１０と冷暗所１２にそれぞれ収納でき、利便性が高い。
【００１６】
請求項５に記載の発明は、請求項１から４の何れか１項に記載の冷暗所付き住宅において、
前記冷暗所１２の床面３６上であって前記冷房手段（例えば冷輻射パネル１５）と前記一の壁（例えば壁３１）との間に、集水された排水を前記冷暗所１２外部へ排出する排水溝３６ａが設けられていることを特徴とする。
【００１７】
請求項５に記載の発明によれば、冷暗所１２の床面３６上であって冷房手段（例えば冷輻射パネル１５）と一の壁（例えば壁３１）との間に、集水された排水を冷暗所１２外部へ排出する排水溝３６ａが設けられているので、平滑板３１ａに結露が発生しても、水滴が平滑板３１ａを伝って下方に落下することで、結露した水滴を排水溝３６ａに集水することができ、集水された排水を冷暗所１２外部へ排出することができる。これにより、平滑板３１ａに結露した水滴を拭き取り等により除去しなかったとしても、冷暗所１２内の湿気を室外へ排出して冷暗所１２内を適度な湿度に調整することができる。
【００１８】
請求項６に記載の発明は、請求項２から５の何れか１項に記載の冷暗所付き住宅において、
前記平滑板３１ａはアクリル樹脂で形成されていることを特徴とする。
【００１９】
請求項６に記載の発明によれば、平滑板３１ａがアクリル樹脂で形成されているので、他の防水性の平滑板と比べて、取り扱いが容易であるとともに、施工コストが低く、好適である。
【発明の効果】
【００２０】
本発明によれば、温度が高い空気や光に晒されることなく、手の届く範囲に食品や物品を収納保管することができ、且つ、施工コストの低い冷暗所を備えた住宅を提供することができる。
【図面の簡単な説明】
【００２１】
【図１】本発明に係る冷暗所付き住宅の一例を示すもので、１階の平面図である。
【図２】冷暗所と収納室を示す平面図である。
【図３】収納棚を冷暗所に設置した状態を示す斜視図である。
【図４】冷暗所を画成する壁の一部と冷輻射パネルとを概略的に示す側面図である。
【図５】冷暗所を画成する壁の一部と冷輻射パネルとを概略的に示す平面図である。
【図６】冷暗所を画成する壁の一部と冷輻射パネルとを概略的に示す正面図である。
【発明を実施するための形態】
【００２２】
以下、図面を参照して本発明の実施の形態について説明する。
図１は、本発明に係る冷暗所付き住宅の一例を示すもので、住宅の１階の平面図である。以下の説明において、図１における右側を「右方向」とし、図１における左側を「左方向」とし、図１における下側を「前方向」とし、図１における上側を「後方向」とする。
図１に示すように、平面視において右方向角部に、玄関ポーチ１が配置されており、この玄関ポーチ１の後方向に隣接して玄関土間２が配置されている。この玄関土間２の左方向に隣接して玄関ホール３が配置されており、この玄関ホール３に面して上階へ至る階段４が配置されている。
また、平面視において左方向角部に、ダイニング５が配置されており、このダイニング５に隣接してリビング６とキッチン７とが配置されている。リビング６には玄関ホール３から出入りできるようになっている。
【００２３】
玄関土間２の後方向に隣接して、収納室１０が配置されている。この収納室１０は天井高さが０．８ｍ〜１．４ｍの低天井室であり、その床は土間床となっている。この土間床は玄関土間２の床と同じ高さである。収納室１０と玄関土間２とを仕切る壁に、収納室１０の出入口１１が設けられている。したがって、利用者は、玄関土間２から直ぐに収納室１０に入ることができ、例えば、自転車、外部で使用する道具等を収納するのに便利である。なお、収納室１０を形成する壁の一部は外壁となっており、この外壁に明り採り用の窓１０ａが設けられている。
【００２４】
図１及び図２に示すように、収納室１０の左方向に隣接して冷暗所１２が配置されている。冷暗所とは、温度が２０℃以下で且つ日が当たらず暗い場所のことをいう。また、冷暗所１２の床面３６は収納室１０の土間床と等しい高さの土間床となっている。
【００２５】
この冷暗所１２は、天井高さが０．８ｍ〜１．４ｍで、且つ、窓のない壁３１〜３４で画成された平面視矩形状の室である。冷暗所１２を形成（画成）する壁３１〜３４は全て住宅内部の内壁で構成されており、これによって、冷暗所１２は外部の気温による影響を受け難くなっている。
【００２６】
冷暗所１２と収納室１０とを仕切る壁３２には、出入口１３が形成されている。この出入口１３が形成された壁３２は、冷暗所１２の平面視における一方の長辺を構成する壁であり、この壁３２の幅全体に亘って出入口１３が形成されている。この出入口１３には、引違い式の引戸１３ａが設けられている。この引戸１３ａは密閉性があり、且つ、遮光性を備えた戸である。
【００２７】
このように、冷暗所１２の出入口１３が設けられた壁３２を境にして、天井高さが０．８ｍ〜１．４ｍの収納室１０が冷暗所１２に隣接して設けられ、この収納室１０の出入口１１は、冷暗所１２の出入口１３が設けられた壁３２と直角に配置された壁に設けられている。
【００２８】
冷暗所１２の平面視における一方の短辺を構成する壁３１の近傍には、当該壁３１に対向し壁３１の面方向に沿って冷輻射パネル（冷房手段）１５が設けられている。冷輻射パネル１５は、図３〜図６に示すように複数の管部材１５ａを有し、内部に冷媒が流れる伝熱部材である。これら管部材１５ａは、冷暗所１２内において鉛直方向に延び、所定間隔をおいて並列して設けられている。
【００２９】
冷輻射パネル１５に対向する壁３１の表面には、防水性を有し表面が平滑な平滑板３１ａが貼り付けられている。平滑板３１ａは、アクリル樹脂からなるアクリル板であり、板状のスチレンフォームに積層された状態で壁３１に設けられている。この平滑板３１ａは、冷輻射パネル１５に対向して配置されている。
また、冷暗所１２を画成する壁３１〜３４のうち壁３１以外のもの、即ち、壁３２，３３，３４の表面には、調湿建材が設けられている。調湿建材は、微細な細孔を無数に有する多孔質の建材（壁材）であり、多湿環境では湿気を吸収して結露やカビの発生を抑制し、過乾燥環境では溜め込んだ湿気を放出する機能を有する。したがって、冷暗所１２内を適度な湿度に維持することができる。
なお、平滑板３１ａは、スチレンフォーム上に積層されて設けられていなくとも良く、平滑板３１ａ単独で壁３１の表面に設けられていても良い。また、平滑板３１ａは、アクリル板でなくとも良く、例えば、ステンレス板、ガラス板、樹脂板等、他の材料で代替することも可能である。
【００３０】
冷暗所１２を画成する壁３１は、調湿建材ではなく平滑板３１ａが取り付けられているため、冷暗所１２の壁３１〜３４の全てを調湿建材で構成する場合に比して、冷暗所１２の施工コストを低減させることができる。また、冷輻射パネル１５により壁３１が冷却されて結露が発生しても、平滑板３１ａを拭き取る等によって水滴を除去することができ、冷暗所１２内の湿気を除去して適度な湿度に維持することができる。また、平滑板３１ａは防水性を有し平滑であるので、水洗いや拭き取り等による清掃を行い易い。
【００３１】
また、壁３１には、換気扇１８が設けられており、冷暗所１２内に収納保管される野菜等から発生したエチレンガス等を室外へ排気できるようになっている。
【００３２】
冷暗所１２の天井面３５の表面には調湿建材が設けられており、天井面３５のうち壁３１近傍の領域には断熱材としてロックウール３５ａが設けられている。これにより、壁３１近傍に設置される冷輻射パネル１５によって天井面３５が冷却されて天井面３５の裏面側に結露が発生することが抑制される。
【００３３】
冷暗所１２の床面３６上であって、壁３１と冷輻射パネル１５との間には、平滑板３１ａの面方向に沿って延びる排水溝３６ａが凹設されている。この排水溝３６ａには図示しない排出口が設けられ、排水溝３６ａを流れる水を当該排出口から冷暗所１２の外部へ排出できるように構成されている。
ここで、冷輻射パネル１５は壁３１の最も近傍に配置されているため、冷輻射パネル１５が冷暗所１２内を冷却すると、壁３１が冷却されて壁３１に結露が発生する場合がある。この壁３１の表面には平滑板３１ａが設けられているため、平滑板３１ａの表面に一定量の水滴が結露すると水滴が速やかに図４中の矢印ａ方向に滑り落ち、平滑板３１ａの下方に設けられた排水溝３６ａに集水される。排水溝３６ａに集水された排水は冷暗所１２外部へ排出される。また、冷輻射パネル１５の管部材１５ａ表面にも結露が発生する場合があるが、管部材１５ａの表面の水滴も図４中の矢印ｂ方向に流れ落ちて、排水溝３６ａに集水されて外部へ排出される。これにより、多湿環境下においても、冷暗所１２内の湿気を室外へ排出し、冷暗所１２内を適度な湿度に維持することができる。
【００３４】
図２に示すように、冷暗所１２の外側、例えば、冷暗所１２に隣接配置されたスペース１４に、図示しないヒートポンプが設けられている。冷輻射パネル１５の各管部材１５ａの上端部及び下端部は互いに連結されており、各管部材１５ａ内部に冷温水配管１５ｂを介して流体が流れ込むように構成されている。管部材１５ａ及び冷温水配管１５ｂ内の流体は、上記したヒートポンプによって冷却され、図示しない循環ポンプによって循環される。冷却された流体が冷輻射パネル１５の各管部材１５ａ内部を上端から下端に向けて流れ、当該冷輻射パネル１５から放熱（冷熱の放熱）されることによって、冷暗所１２内が冷却される。
なお、冷暗所１２には、図示しない温度センサが設置されており、この温度センサによって冷暗所１２の温度が２０℃以下（１５℃程度）となるように、ヒートポンプ及び循環ポンプが制御されるように構成されている。
冷房手段としては、エアコンが一般的であるが、室内を１５℃程度まで冷却できるような製品がないことと、冷却に伴い除湿が進み、食品の乾燥を助長することから、本発明においては好ましくない。一方、輻射パネルによる冷却の場合、乾燥は抑えられるので、食品保存上好ましい。
【００３５】
冷暗所１２には、図１〜図３に示すように、二つの収納棚１６，１７が設置されている。収納棚１６は冷暗所１２の平面視長辺を構成する壁３３に沿って設けられており、収納棚１７は短辺を構成する壁３４に沿って設けられている。これら収納棚１６，１７の棚板はすのこ状に形成されており、棚板の上下方向に空気が抜けるようになっている。
収納棚１６，１７に収納される食品等は、野菜や果物の場合、外側から内部を目視可能なバスケット２０等に入れられた状態で棚に乗せられたり、直接棚に乗せられたりして収納される。したがって、バスケット２０を通して野菜や果物を外側から目視したり、直接目視したりすることによって、野菜や果物の状態を観察できるようになっている。
また、収納棚１６の冷輻射パネル１５に近い側には、ワイン２１、ミネラルウォータ２２、醤油２３等の比較的低い温度状態で保管することが好ましい物が収納されるようになっている。
【００３６】
本実施の形態によれば、天井高さが０．８ｍ〜１．４ｍで、且つ、窓のない壁３１〜３４で画成されてなる冷暗所１２が設けられているので、この冷暗所１２に、手の届く範囲で且つ比較的温度が高い空気や光に晒されることなく、食品や物品を収納保管できる。
また、冷暗所１２内に冷輻射パネル１５が設けられているので、夏季においても冷暗所１２の温度を２０℃以下に保持できる。
また、壁３１の表面が、防水性であり平滑に形成されているのみであるため、冷暗所１２を画成する壁の全てを調湿建材で構成する場合に比して、冷暗所１２の施工コストが低い。
また、冷暗所１２内には冷輻射パネル１５が壁３１に対向して設けられ、壁３１の表面は防水性を有し平滑に形成されているので、冷輻射パネル１５が壁３１を冷却することによって壁３１に結露が発生しても、当該壁３１の表面を拭き取る等して水滴を除去することができ、清掃が行い易い。
また、冷暗所１２を画成する壁３１〜３４を、住宅内の内壁で構成することによって、冷暗所１２が外部の温度の影響を受け難くなり、より収納保管に適したものとなる。
【００３７】
また、冷輻射パネル１５が壁３１に沿って設けられ、壁３１の表面は平滑板３１ａで形成されているので、冷暗所１２の施工が容易である。
【００３８】
また、冷暗所１２の短辺を構成する壁３１に沿って冷輻射パネル１５が設けられているので、長辺を構成する壁３２，３３に沿って設ける場合に比して、冷輻射パネル１５をコンパクトに納めることができる。
また、冷輻射パネル１５からの放熱（冷熱の放熱）によって、冷暗所１２の平面視長辺方向において、温度の勾配が生じるので、収納すべき物の種類によって、温度に合わせて適宜物品の収納位置を選択できる。
更に、冷暗所１２の長辺を構成する壁３２に出入口１３が設けられているので、出入口１３を大きく取ることができるとともに、出入口１３からの奥行きが浅くなるので、食品や物品の収納、取り出しが行い易くなる。
【００３９】
また、天井高さが０．８ｍ〜１．４ｍの収納室１０が冷暗所１２に隣接して設けられ、この収納室１０から出入口１１を通って冷暗所１２に出入りできるので、収納室１０に収納されている物品を必要に応じて冷暗所１２に直ぐに収納できる。
また、収納室１０の出入口１１が、冷暗所１２の出入口１３が設けられた壁３２以外の壁に設けられているので、住宅内の他の場所と冷暗所１２とを行き来する場合、必ず収納室１０を経由することになる。したがって、収納物の種類が複数ある場合に、適宜選択しながら、収納室１０と冷暗所１２にそれぞれ収納でき、利便性が高い。
【００４０】
また、冷暗所１２の床面３６上であって冷輻射パネル１５と壁３１との間に、集水された排水を冷暗所１２外部へ排出する排水溝３６ａが設けられているので、冷輻射パネル１５によって壁３１が冷却されて結露が発生しても、水滴が平滑板３１ａを伝って下方に落下することで、当該水滴を排水溝３６ａに集水して排出することができる。これにより、平滑板３１ａに結露した水滴を拭き取り等によって除去しなかったとしても、冷暗所１２内の湿気を室外へ排出して冷暗所１２内を適度な湿度に調整することができる。
【００４１】
また、平滑板３１ａはアクリル樹脂により形成されているので、他の防水性の平滑板と比べて、取り扱いが容易であるとともに、施工コストが低く、好適である。
【００４２】
なお、上記した実施形態では、冷暗所の一の壁の表面に平滑板が貼り付けられて設けられているものとしたが、平滑板は当該一の壁と一体として設けられているものとしても良い。また、冷暗所の一の壁には平滑板が設けられておらず、当該一の壁の表面が平滑に加工され防水処理されているものとしても良い。
【００４３】
また、上記した実施形態では、冷暗所を画成する壁のうちの一の壁の表面にのみ平滑板が設けられているものとしたが、冷暗所を画成する他の壁の表面にも平滑板が設けられているものとしても良い。この場合には、冷暗所の床面上であって当該他の壁に設けられた平滑板の下方に、当該平滑板の面方向に沿って排水溝が設けられていることが好ましい。
【００４４】
また、上記した実施形態では、冷暗所を画成する壁のうち一の壁の表面全体に平滑板が設けられているものとしたが、当該一の壁の表面のうち所定領域のみ（例えば、冷輻射パネルに対向する領域のみ）に平滑板が設けられているものとしても良い。この場合には、平滑板の形状は矩形状でなくても良く、何れの形状であっても良い。
【００４５】
また、上記した実施形態では、冷暗所が平面視矩形状に形成されているものとしたが、冷暗所は矩形状に形成されていなくても良く、何れの形状であっても良い。
【００４６】
また、上記した実施形態では、平滑板の下方に当該平滑板の面方向に沿って排水溝が設けられているものとしたが、排水溝は設けられていなくても良い。その場合には、平滑板の表面に結露した水滴を除去することのできる手段が設けられていることが好ましい。
【００４７】
また、上記した実施形態では、平滑板が設けられている壁以外の他の壁の表面は、調湿建材で形成されているものとしたが、当該他の壁の表面は一般的に用いられる壁材で形成されているものとしても良い。
【符号の説明】
【００４８】
１      玄関ポーチ
２      玄関土間
３      玄関ホール
４      階段
５      ダイニング
６      リビング
７      キッチン
１０    収納室
１０ａ  窓
１１    出入口
１２    冷暗所
１３    出入口
１３ａ  引戸
１４    スペース
１５    冷輻射パネル（冷房手段）
１５ａ  管部材
１５ｂ  冷温水配管
１６    収納棚
１７    収納棚
１８    換気扇
２０    バスケット
２１    ワイン
２２    ミネラルウォータ
２３    醤油
３１    壁（一の壁）
３１ａ  平滑板
３２    壁
３３    壁
３４    壁
３５    天井面
３５ａ  ロックウール
３６    床面
３６ａ  排水溝
【図１】
2014005639.tif 000003
【図２】
2014005639.tif 000004
【図３】
2014005639.tif 000005
【図４】
2014005639.tif 000006
【図５】
2014005639.tif 000007
【図６】
2014005639.tif 000008